(57)【特許請求の範囲】
【請求項１】
イソパラフィン含有量が２５容量％以上、９０容量％留出温度が２９０〜３５０℃、パラフィン分岐度指数が０．３〜０．７５である燃料油基材を５〜９０容量％含有し、
１０容量％留出温度が１８０〜２２５℃、９０容量％留出温度が３１５〜３５０℃の蒸留性状を有し、硫黄分が１０質量ｐｐｍ以下であり、飽和炭化水素が４５〜９８容量％、芳香族炭化水素が２〜３０容量％で、かつ、２環芳香族類の含有量が１．５容量％以下及び３環以上の多環芳香族類の含有量が０．５容量％以下であり、ナフテン類の含有量が５０容量％以下、多環ナフテン類の含有量が２５容量％以下、イソパラフィンの含有量が１３〜９０容量％、曇り点が０℃以下、５０ＭＰａにおける結晶析出温度が１０℃以下であり、かつ脂肪酸部分の炭素数が１６以上である飽和脂肪酸アルキルエステルの含有量が０．５〜１８質量％であることを特徴とするディーゼルエンジン用燃料油組成物。
【発明の詳細な説明】
【技術分野】
【０００１】
本発明は、コモンレール式燃料噴射装置、ユニットインジェクタ式燃料噴射装置などの、燃料高圧噴射式のディーゼルエンジンに用いられる燃料油組成物に関するものである。
【背景技術】
【０００２】
近年、環境問題から自動車から排出される排気ガスの低減や熱効率の向上が求められている。ディーゼル車は、ガソリン車に比べ熱効率に優れ、ＣＯ２排出が少ないものの、燃焼がディーゼル特有の拡散燃焼であることに起因する粒子状物質（ＰＭ）の排出やＮＯｘの排出などによる人体への影響の懸念や環境に対する悪影響が問題となっている。
【０００３】
これらディーゼル車から排出されるＰＭやＮＯｘの問題に対し、燃焼形態を改善するため、コモンレール式燃料噴射装置や、ユニットインジェクタ方式に代表される燃料高圧噴射装置の導入が進んでいる。燃料の高圧噴射は、エンジン筒内に噴射される燃料の微粒化を促進し、かつ、筒内空気との混合を促進することにより、燃焼形態を改善することができる。コモンレール式燃料噴射装置や、ユニットインジェクタ式燃料噴射装置による最大燃料噴射圧力は、従来車の代表である列型噴射装置の噴射圧力が５０ＭＰａ程度であるのに対し、１６０〜２００ＭＰａ程度と非常に高く、その高圧化は更に進んでいる。また、これら燃料高圧噴射装置は、電子制御により、これまでのエンジン回転数に応じた燃料噴射圧力ではなく、あらかじめ高圧化された燃料をプールしておき、運転条件により最適な燃料噴射圧力を判断し、噴射圧力を調整して噴射する方式となっているため、全運転領域において最適な燃焼状態の維持が可能となっている。更に、上記の高圧噴射型の車輌においては、インジェクタノズル噴射孔のサイズもこれまでより小さくなっており、噴射燃料の微細化の一助となっている。
【０００４】
このような燃料噴射装置の導入により、燃焼形態が大幅に改善され、ＰＭ排出量やＮＯｘ排出量が大きく低減された。そしてエンジンアウトでの排出ガスが低減されたことにより、従来のエンジンから排出されるＰＭ、ＮＯｘ量では装着できなかったエンジン後段の各種後処理装置（ＤＰＦ、ＤＰＮＲ等）も併用可能となり、ＰＭ、ＮＯｘの大幅な低減の達成がなされている。
【０００５】
しかしながら、物質の三態図を考えた場合、常温、常圧で液体の物質であっても、２００ＭＰａのような超高圧状態にさらされた場合には固体へと状態変化を起こしてしまう。新型の燃料噴射装置は従来のものと比べ、最高圧力では３倍以上、かつ最低でも５０ＭＰａ以上の圧力が常時燃料にかかっていることから、高圧下でプールされた燃料の固化・ゲル化といったものが懸念される。燃料の固化・ゲル化は、燃料が液体であることを想定されて設計されている燃料噴射の噴霧形状に大きな影響を与えることは明らかであり、かつ、固体またはゲル状態のものが２００ＭＰａのような超高圧で噴射された場合、インジェクタのノズルホールがより小さくなっているような高圧噴射型の車両においてはこれらの箇所が破損する可能性が懸念される。そのため、高圧噴射装置で使用されるような超高圧下においても燃料の状態を液体状態として保持でき、燃料噴霧形態を維持することにより、適切な燃焼状態を保持できると共に、インジェクタのノズルホール破損などのトラブルを回避できるディーゼルエンジン用の燃料油組成物を提供することを目的とした技術の報告がなされている。（例えば特許文献１）
【先行技術文献】
【特許文献】
【０００６】
【特許文献１】特願２００６−３２８６５７号公報
【発明の概要】
【発明が解決しようとする課題】
【０００７】
特許文献１では、バイオディーゼルフューエル（以下、ＢＤＦと呼ぶ）の脂肪酸部分の炭素数が１６以上である飽和脂肪酸アルキルエステルに起因する曇り点の高さ（常圧での結晶析出）が課題となっており、溶解力の高い芳香族類、ナフテン類、イソパラフィン類を含む軽油組成物と混合して課題の解決を図っている。
しかし、燃焼時に発生するＣＯ２が排出量にカウントされないカーボンニュートラルで
あるＢＤＦの混合量を少しでも多くするためには、少量でより溶解力の高い燃料油組成物（芳香族類、ナフテン類、イソパラフィン類が多く含まれるもの）と混合することが望ましい。ただし、芳香族類、ナフテン類の増大は排出ガス中のＰＭ等を増加させることから、イソパラフィン類を主とする燃料油組成物が望まれている。
【０００８】
本発明は、上記の要求を燃料品質に反映させ、あらゆる状況下の運転状態においても燃料噴霧を適正に保ち、高圧噴射装置や、後処理装置の機能を十分に発揮させるために、高圧噴射装置で使用されるような超高圧下においても燃料の状態を液体状態として保持でき、燃料噴霧形態を維持することにより、適切な燃焼状態を保持できると共に、インジェクタのノズルホール破損などのトラブルを回避できるディーゼルエンジン用の燃料油組成物を提供することを目的とする。
【課題を解決するための手段】
【０００９】
本発明者らは、特許文献１の知見をさらに詳細に検討した結果、適切な組成、性状を有する燃料とすることで、ＢＤＦをより多く含有しながらも、高圧下において適切な燃料噴霧を可能とする知見を得て、本発明を完成するに至った。
【００１０】
すなわち本発明は、以下に示す特徴を有する、コモンレール式燃料噴射装置、ユニットインジェクタ式燃料噴射装置などの燃料高圧噴射式のディーゼルエンジンに適した燃料油組成物を提供するものである。
イソパラフィン含有量が２５容量％以上、９０容量％留出温度が２９０〜３５０℃、パラフィン分岐度指数が０．３〜０．７５である燃料油基材を５〜９０容量％含有し、
１０容量％留出温度が１８０〜２２５℃、９０容量％留出温度が３１５〜３５０℃の蒸留性状を有し、硫黄分が１０質量ｐｐｍ以下であり、飽和分が４５〜９８容量％、芳香族炭化水素が２〜３０容量％で、かつ、２環芳香族類の含有量が１．５容量％以下及び３環以上の多環芳香族類の含有量が０．５容量％以下であり、ナフテン類の含有量が５０容量％以下、多環ナフテン類の含有量が２５容量％以下、イソパラフィンの含有量が１３〜９０容量％、曇り点が０℃以下、５０ＭＰａにおける結晶析出温度が１０℃以下であり、かつ脂肪酸部分の炭素数が１６以上である飽和脂肪酸アルキルエステルの含有量が０．５〜１８質量％であることを特徴とするディーゼルエンジン用燃料油組成物。
【発明の効果】
【００１１】
本発明のディーゼル用燃料油組成物によれば、燃料を高圧にした際に生じる固化・ゲル化を抑制し、適切な燃焼状態を維持し、かつ噴射装置への機械的なダメージを回避することができる。
【図面の簡単な説明】
【００１２】
【図１】結晶析出圧力および固液平衡線の測定に使用した実験装置の概略図である。
【図２】実施例１、３および比較例１の固液平衡線をプロットしたグラフである。
【発明を実施するための形態】
【００１３】
以下に発明の詳細を記載する。
本発明のディーゼルエンジン用燃料油組成物に含まれる燃料油基材のイソパラフィン含有量は、２５容量％以上、好ましくは３０〜９０容量％である。
イソパラフィン含有量が２５容量％以上であれば、後述する、燃料油組成物の固体状態と液体状態の境目を表す固液平衡線の傾きを大きく保つことが可能となり、好ましい。また、本件におけるイソパラフィンは分岐度が高いことから、Ｃ数が同数のｎ−パラフィンと比較してセタン価が低くなるため、イソパラフィン含有量の上限を９０容量％とすることが好適である。
【００１４】
本発明のディーゼルエンジン用燃料油組成物に含まれる燃料油基材の９０容量％留出温度は、２９０〜３５０℃、好ましくは、２９２〜３４７℃である。
９０容量％留出温度が２９０℃以上であれば、動粘度を適切に保つことができ、３５０℃以下であれば軽油中の重質成分、特に芳香族炭化水素を低いレベルに抑えることができ、燃焼性を良好に保つことが出来るため、好ましい。
【００１５】
本発明のディーゼルエンジン用燃料油組成物に含まれる燃料油基材のパラフィン分岐度指数は、０．３〜０．７５、好ましくは０．３〜０．７３である。パラフィン分岐度指数とは、パラフィン分子の平均的な分岐度合いを表す指標であり、１Ｈ−ＮＭＲにより測定される全プロトンの積分値を１とした際の、末端メチル基のプロトン比率で表される。パラフィン分岐度指数が大きいほど、パラフィン中のイソパラフィンの割合が多く、またはイソパラフィン分子自体の分岐度合いが大きいことを意味する。
【００１６】
基材のパラフィン分岐度指数が０．３以上であれば、ｎ−パラフィン比率が小さくなり、低温流動性が良好にあり、かつ、溶剤としての効果も高くなり、燃料油組成物の曇り点を下げることができるため好ましい。また、パラフィン分岐度指数が大きすぎる場合、粘度が高くなりすぎ通油性が低下する可能性があり、かつ、セタン価低下の可能性があるが、０．７５以下であれば適切な粘度、セタン価にすることが可能であるため好ましい。
【００１７】
本発明のディーゼルエンジン用燃料油組成物における上記燃料油基材の含有量は、５〜９０容量％、好ましくは７〜９０容量％である。
含有量が５容量％以上であれば、燃料油組成物の固体状態と液体状態の境目を表す固液平衡線の傾きを大きく保つことが可能となり、好ましい。また、９０容量％以下であれば前述した通り、イソパラフィンが増加することによるセタン価の低下を抑制することが可能となり好ましい。
【００１８】
本発明のディーゼルエンジン用燃料油組成物における上記燃料油基材の含有量は、５〜９０容量％、好ましくは、７〜９０容量％である。
含有量が５容量％以上であれば燃料油の曇り点を下げることができ、かつ、燃料油組成物の固体状態と液体状態の境目を表す固液平衡線の傾きを大きく保つことが可能となり、好ましい。また、含有量が多すぎる場合、粘度が高くなりすぎ通油性が低下する可能性があり、かつ、セタン価低下の可能性があるため、９０容量％以下とすることが好適である。
【００１９】
本発明におけるディーゼルエンジン用燃料油組成物の蒸留性状は、１０容量％留出温度が１８０〜２２５℃、好ましくは１８３〜２２２℃、９０容量％留出温度が３１５〜３５０℃、好ましくは３１７〜３４７℃である。
【００２０】
１０容量％留出温度が１８０℃以上であれば、軽油として適切な引火点、動粘度を保つことができ、２２５℃以下であれば、適度な揮発性を有することから、燃焼室内での空気との混合が促進され、不均一混合燃焼に由来するＰＭ等を低減することができるため好ましい。９０容量％留出温度が３１５℃以上であれば、動粘度を適切に保つことができ、３５０℃以下であれば軽油中の重質成分、特に芳香族炭化水素を低いレベルに抑えることができ、燃焼性を良好に保つことが出来るため、好ましい。
【００２１】
また本発明のディーゼルエンジン用燃料油組成物に含まれる硫黄分は１０質量ｐｐｍ以下、好ましくは８質量ｐｐｍ以下である。硫黄分を１０質量ｐｐｍ以下とすることで、エンジンから排出される粒子状物質（ＰＭ）の成分であるサルフェートの排出量を少なくし、排ガス後処理装置の性能に対する影響も小さくなり好ましい。
【００２２】
なお本発明における、蒸留性状はＪＩＳ  Ｋ２２５４の常圧法蒸留試験、硫黄分はＪＩＳ  Ｋ２５４１の微量電量滴定式酸化法により、それぞれ測定できる。
【００２３】
本発明のディーゼルエンジン用燃料油組成物における飽和炭化水素は、４５〜９８容量％、好ましくは５０〜９８容量％、芳香族炭化水素は２〜３０容量％、好ましくは２〜２８容量％である。芳香族炭化水素の内２環芳香族類含有量は１．５容量％以下、好ましくは１．４容量％以下であり、下限についての限定はなく、少ないほど好ましく、０容量％であることがより好ましい。３環以上の多環芳香族類の含有量は０．５容量％以下、好ましくは０．３容量％以下であり、下限についての限定はなく、少ないほど好ましく、０容量％であることがより好ましい。
【００２４】
飽和炭化水素を４５容量％以上、芳香族炭化水素を３０容量％以下として、特に２環芳香族および３環以上の多環芳香族を低レベルに抑えることにより、燃焼時にＰＭおよびＮＯｘの排出量を低減できる。また、芳香族炭化水素を２容量％以上とすることで、エンジンの燃料供給ラインに使用されているゴム製の各種シーリングを適度に膨潤させ、シール性を確保させることが可能となる。よって、飽和炭化水素は９８容量％以下とすることが好ましい。また、本発明のディーゼルエンジン用燃料油組成物は、飽和炭化水素、芳香族炭化水素以外にＣＯ２排出量削減を目的とした、植物油由来の脂肪酸アルキルエステル１〜４０容量％を含んでもよい。
【００２５】
なお、ここでの組成割合は、ＪＰＩ−５Ｓ−４９−９７「石油製品−炭化水素タイプ試験方法−高速液体クロマトグラフ法（ＨＰＬＣ）」に基づいて求められる。
【００２６】
本発明のディーゼルエンジン用燃料油組成物におけるナフテン類含有割合は、５０容量％以下、好ましくは４８容量％以下であり、下限についての限定はなく、少ないほど好ましく、０容量％であることがより好ましい。また、そのうち２環以上の多環ナフテン類含有量は２５容量％以下、好ましくは２０容量％以下であり、下限についての限定はなく、少ないほど好ましく、０容量％であることがより好ましい。
ナフテン類、多環ナフテン類は、５０ＭＰａ以上の超高圧下においては、その多くが分子的に平面構造に近い形を有していることにより固化しやすい傾向がある。ここで、ナフテン類としては、例えば、シクロヘキサンやシクロペンチルシクロヘキサン、２環のナフテン類としては、例えば、ジシクロヘキシルエタンやデカリンなどが挙げられる。３環以上のナフテン類としては、例えば、テトラデカヒドロアントラセンなどが挙げられる。ナフテン類が５０容量％以下、特に多環ナフテン類が２５容量％以下であることにより、固液平衡線（圧力−温度曲線）の２次曲線の傾きを大きく保つことができるため、好ましい。
【００２７】
なおここでのナフテン類含有割合は、高速液体クロマトグラフ法（ＨＰＬＣ）によりディーゼルエンジン用燃料油組成物を芳香族炭化水素と飽和炭化水素に分画採取した後、飽和炭化水素をガスクロマトグラフ法−質量分析法（ＧＣ−ＭＳ）で分析し、ＡＳＴＭＤ  ２７８６に従って解析を行い、各環数別のナフテン類割合を算出し、ここで得られた割合を、ＪＰＩ−５Ｓ−４９−９７「石油製品−炭化水素タイプ試験方法−高速液体クロマトグラフ法」により求めた飽和炭化水素の割合に乗ずることで求められる。
【００２８】
本発明のディーゼルエンジン用燃料油組成物におけるイソパラフィンの含有量は１３〜９０容量％、好ましくは１５〜９０容量％である。イソパラフィンが１３容量％以上であることにより、固液平衡線（圧力−温度曲線）の２次曲線の傾きを大きく保つことができ、９０容量％以下であれば、燃料油組成物の燃焼性を適正な範囲に保つことができることにより好ましい。
【００２９】
なおここでのイソパラフィン含有割合は、ＪＰＩ−５Ｓ−４９−９７「石油製品−炭化水素タイプ試験方法−高速液体クロマトグラフ法」により求めた飽和炭化水素からナフテン類含有量とｎ−パラフィン含有量との和を引くことにより求めることが出来きる。ここで、ｎ−パラフィン含有量は、ガスクロマトグラフ法（ＧＣ）により得ることができ、これを容量％に換算することで求めることが出来る。
【００３０】
本発明のディーゼルエンジン用燃料油組成物における曇り点は０℃以下、好ましくは−２℃以下である。曇り点が０℃以下であれば、目詰まり点に代表されるような低温性能を十分に維持できるため好ましい。
なお、曇り点はＪＩＳ  Ｋ  ２２６９に基づいて求めることができる。
【００３１】
本発明のディーゼルエンジン用燃料油組成物の、５０ＭＰａにおける結晶析出温度は１０℃以下であり、７℃以下であればさらに好ましく、これに加えて、燃料油組成物の固体状態と液体状態の境目を表す固液平衡線の傾きが、０以上であれば好ましく、０．００５以上であればさらに好ましい。
【００３２】
５０ＭＰａにおける結晶析出温度が１０℃以下であれば、エンジン始動直後の燃料高圧噴射装置の圧力において燃料が液体状態を保つことができ、始動直後のエンジン不調を防ぐことが出来る。固液平衡線の傾きが０以上であれば、ある任意の圧力上昇により結晶が析出した場合でも、小さな温度上昇（少量の熱量の投入）により固相状態から液相状態へ状態変化を起こすため、液相状態を維持するために好ましい。
【００３３】
なお、５０ＭＰａにおける結晶析出圧力、および固液平衡線は、図１に示す実験装置を用いて得ることができる。固液平衡線は、図２に示すように高圧室内の温度を−３０〜８０℃の任意の温度に固定し、圧力を５ＭＰａ刻みで昇圧させたときに、試料室内に結晶が析出した圧力を、横軸：温度、縦軸：結晶析出圧力のグラフにプロットし、その点を複数点結ぶことにより、２次関数のグラフとして描くことができる。
【００３４】
また、本発明のディーゼルエンジン用燃料油組成物における、脂肪酸部分の炭素数が１６以上である飽和脂肪酸アルキルエステルの含有量は０．５〜１８質量％、好ましくは１〜１５質量％である。脂肪酸部分の炭素数が１６以上である飽和脂肪酸アルキルエステルの結晶析出圧力は、軽油組成物中の結晶析出の原因物質であるｎ−パラフィンと同等程度であることから、含有量が１８質量％以下であれば、軽油組成物の溶解力により、燃料を高圧にした際の飽和脂肪酸アルキルエステル由来の結晶析出による燃料の固化・ゲル化を抑制することができるため、好ましい。また、含有量が０．５質量％以上であれば、ディーゼルエンジン用燃料油組成物の潤滑性を向上させることが可能であるため好ましい。
【００３５】
なお、本発明に使用する上記飽和脂肪酸アルキルエステルとしては、動物油脂および植物油脂等を原料として生成される脂肪酸アルキルエステルが挙げられる。例えば、トリグリセリドが主成分である動物油脂、植物油脂から、種々の反応と精製により得られる。しかしながら、牛脂、ラード、魚油に代表される動物油脂由来の脂肪酸アルキルエステルは、不飽和脂肪酸の量、特に不飽和結合数が２以上の多価不飽和脂肪酸の量が多いことや、精製油の夾雑物が多い。このため、本発明に使用する脂肪酸アルキルエステルは、ココナツ、パームヤシ、オリーブ、ヒマワリ、ナタネ、大豆など、種々の植物を原料とする植物油脂が原料であることが好ましい。
【００３６】
また、産業用や、食用などで使用された廃食用油を原料とした脂肪酸アルキルエステルについても、近年の研究の結果、反応法、精製法が精査されており、夾雑物の少ない脂肪酸アルキルエステルが生産されていることから、本発明に使用することができる。
【００３７】
脂肪酸アルキルエステルの反応方法および精製については、一般的なアルカリ金属を用いたアルカリ触媒法、有機酸などの酸触媒を用いた酸触媒法、リパーゼ酵素を用いたリパーゼ法などがあるが、本発明において用いられる脂肪酸アルキルエステルは、反応・精製法に依存しない。
【００３８】
本発明で使用される脂肪酸アルキルエステルのアルキル基は、メチル基、エチル基、プロピル基、ブチル基、ペンチル基、ヘキシル基などの、異性体を含む各種アルキル基である。
【００３９】
表１に、上記アルキル基が結合した脂肪酸アルキルエステルの代表例を示す。ただし、本発明において、使用される脂肪酸アルキルエステルの種類は、下記代表例に限定されるものではない。
【００４０】
【表１】
0005312646.tif 000002
【００４１】
本発明で使用される脂肪酸アルキルエステルおよび原料に使用される油脂の脂肪酸の分析は、ガスクロマトグラフ（ＧＣ）を用いて行うことが可能である。
【００４２】
本発明のディーゼルエンジン用燃料油組成物は、上述したように、特定量のイソパラフィン、９０容量％留出温度、パラフィン分岐度指数を有する燃料油基材を必須とする。この基材としては沸点３００℃以上のパラフィンＷＡＸを、ゼオライト触媒等を用いて、水素化分解を行った後、常圧蒸留により分留することにより製造されるもの、もしくはイソパラフィン溶剤として市販されているものを用いることができる。
【００４３】
上記基材以外については特に限定されるものではなく、例えば、本発明における軽油組成物は、種々の石油留分から蒸留によりその蒸留性状を調整し、水素化脱硫、芳香族抽出処理等の処理を行った軽油留分に、灯油等を適宜配合して製造することができる。ＪＩＳ規格軽油としては、特１号、１号、２号、３号、特３号全般が使用可能であり、特に限定されない。その他、灯油留分を混合していない軽油基材や、重油を接触分解、水素化脱硫、水素化分解処理、脱アロマ処理およびコーカー等で重質油分をアップグレーディング等をした後に分留される軽油留分等でも、その性状が上述の性状を満たすものであれば使用可能であり、特に限定されるものではない。例えば、超高圧下で固化を促進するようなナフテン、多環ナフテンを含まないような原油を選択するか、水素化脱硫反応においてこれら物質を水添するなどした基材を選択的に使用することで好適に製造することができる。
【００４４】
本発明のディーゼルエンジン用燃料油組成物には、低温流動性向上剤を１０〜１０００容量ｐｐｍ、好ましくは５０〜７００容量ｐｐｍ添加することが好ましい。低温流動性向上剤を１０容量ｐｐｍ以上添加することにより、目詰まり点（ＣＦＰＰ）や流動点（ＰＰ）を改善することができ好ましい。また低温流動性向上剤の添加量が１０００容量ｐｐｍ以下であることにより、添加剤自体の凝集等を防ぐことができ好ましい。
【００４５】
本発明において使用する低温流動性向上剤は、種々のものが使用でき、例えばアルケニルコハク酸イミド、エチレン−酢酸ビニル共重合体、エチレン−アルキルアクリレート共重合体、ポリエチレングリコール誘導体等の共重合ポリマー、塩素化ポリエチレン、ポリアルキルアクリレート等のポリマーが挙げられる。これらの低温流動性向上剤は、１種を単独で用いてもよいし、２種以上を組合せて用いてもよい。
【００４６】
また、本発明のディーゼルエンジン用燃料油組成物には必要に応じて、その他各種の添加剤を適宜配合することができる。このような添加剤としては、潤滑性向上剤、セタン価向上剤、界面活性剤、防腐剤、防錆剤、泡消剤、清浄剤、酸化防止剤、色相改善剤、など公知の燃料添加剤が挙げられる。これらの添加剤は、１種を単独で配合してもよいし、２種以上を組み合わせて配合してもよい。
【実施例】
【００４７】
次に、本発明を実施例、比較例によりさらに具体的に説明する。なお本発明は、これらの例によって何ら制限されるものではない。
【００４８】
実施例、比較例において、引火点、蒸留性状、硫黄分、３０℃動粘度、ＪＩＳ  Ｋ  ２２０４に準拠して測定を行った。その他に、１５℃密度はＪＩＳ  Ｋ  ２２４９、曇り点はＪＩＳ  Ｋ  ２２６９に準拠して測定を行った。
【００４９】
イソパラフィンＡ、Ｂ、Ｃのパラフィン分岐度指数は、１Ｈ−ＮＭＲにより測定される全プロトンの積算値を１とした際の、末端メチル基のプロトン比率として算出した。１Ｈ−ＮＭＲの測定条件を下記に示す。
装置：日本電子（株）製核磁気共鳴装置Ａｌｐｈａ−４００
試料管：５ｍｍ
試料量：０．１ｇ
溶媒：重水素化クロロホルム（０．５ｍｌ）
積算回数：４回
プロトンの化学シフト範囲
・メチルプロトン：０．５−１．０ｐｐｍ
・メチレンおよびメチンプロトン：１．０−２．０ｐｐｍ
【００５０】
飽和炭化水素、芳香族炭化水素の割合と、芳香族炭化水素の環数別割合は、ＪＰＩ−５Ｓ−４９−９７に準拠して測定を行った。ＨＰＬＣの装置構成及び分析条件を以下に示す。
装置：Ａｇｉｌｅｎｔ  １１００  Ｓｅｒｉｅｓ（ＡＬＳ：Ｇ１３２９Ａ，  Ｂｉｎ  Ｐｕｍｐ：  Ｇ１３１２Ａ，  Ｄｅｇａｓｓｅｒ：  Ｇ１３７９Ａ，  Ｒｉｄ：  Ｇ１３６２Ａ，  Ｃｏｌｃｏｍ：  Ｇ１３１６Ａ）
移動相：ｎ−ヘキサン
流量：１．０ｍｌ／ｍｉｎ
カラム：硝酸銀含浸シリカカラム（４．６ｍｍＩ．Ｄ．＊７０ｍｍＬ．  センシュー科学製ＡｇＮＯ３−１０７１−Ｙ）
アミン修飾カラム（４．０ｍｍＩ．Ｄ．＊２５０ｍｍＬ．  ２本  センシュー科学製  ＬＩＣＨＲＯＳＯＲＢ−ＮＨ２）
カラム温度：３５℃
試料濃度：１０ｖｏｌ％
注入量：５μｌ
【００５１】
ナフテン類および環数別ナフテン類の含有量、およびイソパラフィン分析は下記方法で行った。
まず試料をＨＰＬＣにより飽和炭化水素と芳香族炭化水素により分画後、飽和炭化水素についてＧＣ−ＭＳによりタイプ分析を行った。ここで得られた分析結果を基に、ＡＳＴＭＤ  ２７８６に従って解析を行い、飽和炭化水素中のパラフィン類と、ナフテン類および環数別ナフテン類の含有割合を求めた。ここで得られた飽和炭化水素中のナフテン類および環数別ナフテン類の割合を、上記のように求めた飽和炭化水素の割合に乗ずることで、ナフテン類および環数別ナフテン類の含有量を求めた。
【００５２】
イソパラフィンの含有量は、上記方法で求めたナフテン類と、下記に示すｎ‐パラフィンの含有量を容量％に換算したものとの和を、ＪＰＩ−５Ｓ−４９−９７「石油製品−炭化水素タイプ試験方法−高速液体クロマトグラフ法」により求めた飽和炭化水素より引くことにより求めた。
分析条件を下記に示す。
装置：ＨＰ−６８９０  ＨＰ５９７３  四重極質量分析計
カラム：ＤＢ−１：３０ｍ×０．２５ｍｍＩ．Ｄ．×０．２５μｍ
オーブン温度：４０℃（１ｍｉｎ）→１０℃／ｍｉｎ→２８０℃（５ｍｉｎ）
注入口温度：４３℃  Ｏｖｅｎ  ｔｒａｃｋ  ｍｏｄｅ  ＯＮ
インターフェース温度：３００℃
キャリアガス：Ｈｅ：５５ＫＰａ  Ｃｏｎｓｔａｎｔ  ｆｌｏｗ  ｍｏｄｅ  ＯＮ
Ｓｏｌｖｅｎｔ  Ｄｅｌａｙ：４．５ｍｉｎ
質量範囲：５０〜５００  Ｔｈｒｅｓｈｏｌｄ＝１００  Ｓａｍｐｌｉｎｇ♯３
イオン化電圧：７０ｅＶ
注入方法：オンカラム注入  １．０μｌ
【００５３】
ｎ−パラフィン含有量は、ガスクロマトグラフィ（ＧＣ）により測定した。以下に測定条件を示す。
・バイオマス軽油とディーゼルエンジン用燃料油組成物について
装置：５８９０  ｓｅｒｉｅｓ２（Ａｇｉｌｅｎｔ  Ｔｅｃｈｎｏｌｏｇｉｅｓ）
カラム：Ｕｌｔｒａ  １  （Ａｇｉｌｅｎｔ）Ｃｒｏｓｓｌｉｎｋｅｄ  Ｍｅｔｈｙｌ  Ｓｉｌｉｃｏｎｅ  Ｇｕｍ、５０ｍ×０．２０ｍｍＩ．Ｄ．  膜厚０．３３μｍ
検出器：ＦＩＤ
オーブン温度：６０℃（０ｍｉｎ）−（６℃／ｍｉｎ）→３４０℃（１０ｍｉｎ）Ｒｕｎ  ５６．７ｍｉｎ
注入口：Ｏｎ−ｃｏｌｕｍｎ
注入口温度：オーブントラックモード（オーブン温度＋３℃）
検出器温度：３５０℃
キャリアガス：Ｈｅ  ２８０ｋＰａ（定圧）１．３ｍＬ／ｍｉｎ  線速度２９．７ｃｍ／ｓｅｃ（ａｔ  ６０℃）
メイクアップガス：Ｈｅ
ＦＩＤ燃焼ガス：Ｈ２  ３０  ｍＬ／ｍｉｎ，Ａｉｒ  ４００ｍＬ／ｍｉｎ
注入量：０．２μｌ
定量法：内標準法（内標準物質：フタル酸ジブチルエステル）
・イソパラフィンＡ、ＢおよびＣについて
装置：６８９０  （Ａｇｉｌｅｎｔ  Ｔｅｃｈｎｏｌｏｇｉｅｓ）
カラム：ＤＢ−１  ３０ｍ×０．２５ｍｍＩ．Ｄ．  膜厚０．２５μｍ
検出器：ＦＩＤ
オーブン温度：５０℃（１ｍｉｎ）−（５℃／ｍｉｎ）→  ３４０℃（２０ｍｉｎ）  Ｒｕｎ  ７９ｍｉｎ
注入口：Ｓｐｌｉｔ（Ｂａｃｋ）  １００：１
キャリアガス：Ｈｅ  ８３ｋＰａ  （定圧）  １．０ｍＬ／ｍｉｎ  Ｔｏｔａｌ  １００ｍＬ／ｍｉｎ  
平均線速度：２６ｃｍ／ｓｅｃ
メイクアップガス：Ｈｅ
ＦＩＤ燃焼ガス：Ｈ２  ３０  ｍＬ／ｍｉｎ  ，  Ａｉｒ  ４００ｍＬ／ｍｉｎ
注入量：０．１μｌ
試料希釈：二硫化炭素で１／２に希釈
ベースライン：補正あり
【００５４】
脂肪酸アルキルエステルの分析は、ガスクロマトグラフィ（ＧＣ）により測定した。以下に測定条件を示す。
装置：島津  ＧＣ−２０１０
カラム：ＤＢ−ＷＡＸ  ３０ｍ×０．２５ｍｍ  Ｉ．Ｄ．  膜厚０．２５ｕｍ
オーブン温度：６０℃（１ｍｉｎ）−（１０℃／ｍｉｎ）→２５０℃（２０ｍｉｎ）  Ｒｕｎ  ４０ｍｉｎ
注入口：スプリットレス  ２８０℃
検出器：ＦＩＤ  ２８０℃
キャリヤーガス：Ｈｅ  １００ｋＰａ（Ｔｏｔａｌｆｌｏｗ  ４０．２ｍｌ／ｍｉｎ）１．２ｍｌ／ｍｉｎ  ２９．６ｃｍ／ｓｅｃ
注入方法：スプリットレス注入  
試料希釈：０．０１ｇ／２ｍＬ  Ｔｏｌｕｅｎｅ
注入量：０．２μｌ
【００５５】
本発明における実験装置を図１に示す。本実験装置は、実験試料を入れる高圧室と、圧媒（常温時：水、低温時：エタノール）からの圧力に応じて上下するガラス製のピストンから成る。ポンプにより圧媒を圧送することにより、高圧室内の圧力を常圧から、３００ＭＰａまでの任意の圧力に昇圧することができる。この際、図１に示した高圧セル自体も圧媒に満たすことにより、高圧室及びピストンの外壁が圧力により変形、破損することなく観測を行うことが出来る。高圧室内の観察は、装置上下のサファイア窓よりガラス製のピストンを通してマイクロスコープ等によって光学的に行うことができる。
【００５６】
＜基材＞
・バイオマス軽油Ａ
原油を常圧蒸留することにより得られた沸点範囲１５０〜３６５℃で９０％留出温度が３４５℃の軽油留分を硫黄分１０質量ｐｐｍ以下に水素化脱硫した脱硫軽油基材に、ナタネ油脂をアルカリ触媒による処理にてアルキルエステル化し、精製することにより得られた脂肪酸アルキルエステル混合物を、炭素数１６以上の飽和脂肪酸エステル含有量が２．４５質量％、炭素数１６以上の不飽和脂肪酸エステル含有量が４．５１質量％となるように混合し、表２に示す性状のバイオマス軽油Ａを得た。
・バイオマス軽油Ｂ
原油を常圧蒸留することにより得られた沸点範囲１５０〜３６５℃で９０％留出温度が３４５℃の軽油留分を硫黄分１０質量ｐｐｍ以下に水素化脱硫した脱硫軽油基材に、パーム油脂をアルカリ触媒による処理にてアルキルエステル化し、精製することにより得られた脂肪酸アルキルエステル混合物を、炭素数１６以上の飽和脂肪酸エステル含有量が１９．５６質量％、炭素数１６以上の不飽和脂肪酸エステル含有量が１９．２１質量％となるように混合し、表２に示す性状のバイオマス軽油Ｂを得た。
・イソパラフィンＡ
沸点３００℃以上のパラフィンＷＡＸを、ゼオライト触媒を用いて、反応温度２６０℃、水素圧力１０ＭＰａの条件で水素化分解を行った後、常圧蒸留により分留し、沸点範囲が１７７〜３２４．５℃で、表３に示す性状のイソパラフィンＡを得た。
・イソパラフィンＢ
市販のイソパラフィン（イソパラフィン含有量が９７．９容量％）を用いて沸点範囲が２０７〜３４１．５℃になるよう調整し、表３に示す性状のイソパラフィンＢを得た。
・イソパラフィンＣ
沸点３００℃以上のパラフィンＷＡＸを、ゼオライト触媒を用いて、反応温度２６０℃、水素圧力１０ＭＰａの条件で水素化分解を行った後、常圧蒸留により分留したもの２０容量％と、市販のｎ−パラフィン溶剤（ｎ−Ｃ９〜ｎ−Ｃ２１）および、市販のｎ−パラフィン試薬を用いて沸点範囲が２２０〜３１０℃になるように調整したもの８０容量％を混合することで、沸点範囲が２１６〜３１９．５℃で、表３に示す性状のイソパラフィンＣを得た。
【００５７】
＜実施例１＞
バイオマス軽油Ａ９０容量％に、イソパラフィンＡを１０容量％混合し、ディーゼルエンジン用燃料油組成物を得た。そして得られたディーゼルエンジン用燃料油組成物に、エチレン−酢酸ビニル共重合体から成る流動性向上剤をディーゼルエンジン用燃料油組成物全量に対し３００容量ｐｐｍ、また長鎖アルキルエステルから成る潤滑性向上剤をディーゼルエンジン用燃料油組成物全量に対し１００ｍｇ／ｋｇ添加した。得られたディーゼルエンジン用燃料油組成物の性状を表４に示す。
【００５８】
＜実施例２＞
バイオマス軽油Ｂ９０容量％に、イソパラフィンＢを１０容量％混合し、ディーゼルエンジン用燃料油組成物を得た。そして得られたディーゼルエンジン用燃料油組成物に、エチレン−酢酸ビニル共重合体から成る流動性向上剤をディーゼルエンジン用燃料油組成物全量に対し３００容量ｐｐｍ、また長鎖アルキルエステルから成る潤滑性向上剤をディーゼルエンジン用燃料油組成物全量に対し１００ｍｇ／ｋｇ添加した。得られたディーゼルエンジン用燃料油組成物の性状を表４に示す。
【００５９】
＜実施例３＞
バイオマス軽油Ｂ２０容量％に、イソパラフィンＡを８０容量％混合し、ディーゼルエンジン用燃料油組成物を得た。そして得られたディーゼルエンジン用燃料油組成物に、エチレン−酢酸ビニル共重合体から成る流動性向上剤をディーゼルエンジン用燃料油組成物全量に対し３００容量ｐｐｍ、また長鎖アルキルエステルから成る潤滑性向上剤をディーゼルエンジン用燃料油組成物全量に対し１００ｍｇ／ｋｇ添加した。得られたディーゼルエンジン用燃料油組成物の性状を表４に示す。
【００６０】
＜比較例１＞
バイオマス軽油Ｂからなるディーゼルエンジン用燃料油組成物を得た。ここに、エチレン−酢酸ビニル共重合体から成る流動性向上剤をディーゼルエンジン用燃料油組成物全量に対し３００容量ｐｐｍ、また長鎖アルキルエステルから成る潤滑性向上剤をディーゼルエンジン用燃料油組成物全量に対し１００ｍｇ／ｋｇ添加した。得られたディーゼルエンジン用燃料油組成物の性状を表４に示す。
【００６１】
＜比較例２＞
バイオマス軽油Ｂ８０容量％に、イソパラフィンＣを２０容量％混合し、ディーゼルエンジン用燃料油組成物を得た。そして得られたディーゼルエンジン用燃料油組成物に、エチレン−酢酸ビニル共重合体から成る流動性向上剤をディーゼルエンジン用燃料油組成物全量に対し３００容量ｐｐｍ、また長鎖アルキルエステルから成る潤滑性向上剤をディーゼルエンジン用燃料油組成物全量に対し１００ｍｇ／ｋｇ添加した。得られたディーゼルエンジン用燃料油組成物の性状を表４に示す。
【００６２】
【表２】
0005312646.tif 000003
【００６３】
【表３】
0005312646.tif 000004
【００６４】
【表４】
0005312646.tif 000005
【００６５】
表４中、１０℃、５０ＭＰａにおける液体状態の維持について、高圧室内の燃料が液体状態ならば「○」の判定、結晶の析出が見られる、もしくは燃料が固化しているならば、「×」と判定した。
【００６６】
イソパラフィン含有量、およびパラフィン分岐度指数が高いイソパラフィンＡ、Ｂを十分量混合した実施例１〜３では、１０℃、５０ＭＰａにおいて結晶の析出は見られなかった。しかし、イソパラフィンＡ、Ｂを混合しなかった比較例１は、Ｃ１６以上の飽和脂肪酸エステル含有量が多く、それを希釈するためのイソパラフィン等を混合していないため、曇り点が高く、固−液平衡線の傾きはさほど小さくないものの、１０℃、５０ＭＰａで結晶の析出が観察された。
比較例２は、実施例２と比較して、Ｃ１６以上の飽和脂肪酸エステル含有量が少ないが、混合したイソパラフィンＣのパラフィン分岐度が小さい（溶解力が小さい）ため、曇り点を十分に下げることができず、固−液平衡線の傾きはさほど小さくないものの、１０℃、５０ＭＰａで結晶の析出が観察された。
【００６７】
図２に、燃料油組成物の固−液平衡図を示す。横軸は試料温度［℃］、縦軸はある温度での結晶析出圧力［ＭＰａ］を示しており、任意の温度における結晶析出圧力を複数点プロットすることにより、固−液平衡線図は通常、２次曲線として描かれる。この固−液平衡線より左の部分は、試料に結晶が析出し、ゲルもしくは、固体状態となっていることを示している。固−液平衡線図の始点：圧力０の時の試料中への結晶析出温度は、いわゆる曇り点を示している。曇り点が同一の試料であっても、試料中の組成により、２次曲線の傾きが異なり、試料の固体状態の領域は大きく異なる。図中の曲線１は実施例１を、曲線２は実施例３を、曲線３は比較例１を示している。実施例１、３では１０℃、５０ＭＰａで液体状態であるが、比較例１では固−液の境界面にあり、固体と液体の共存状態となっている。
【図１】
0005312646.tif 000006
【図２】
0005312646.tif 000007